(57)【要約】【課題】作物の育成方法の提供。【解決手段】（Ａ）軽焼マグネシア又は水酸化マグネシウム、（Ｂ）炭酸塩１種以上、（Ｃ）クエン酸及び／又はフミン酸を含む水懸濁液を作物に対して施肥する、作物の育成方法。【選択図】なし【特許請求の範囲】
【請求項１】
（Ａ）軽焼マグネシア又は水酸化マグネシウム、（Ｂ）炭酸塩１種以上、（Ｃ）クエン酸及び／又はフミン酸を含む水懸濁液を作物に対して施肥する、作物の育成方法。
【請求項２】
（Ｂ）成分の炭酸塩が、重炭酸ソーダ、セスキ炭酸ソーダ、重炭酸カリウム、炭酸アンモニウム、炭酸グァニジン、炭酸エチレン、炭酸プロピレン、炭酸リチウム、塩基性炭酸カリウムから選ばれるものである、請求項１記載の作物の育成方法。
【請求項３】
（Ｃ）成分として、さらにオキシカルボン酸、ケトグルタール酸、ケトグルコン酸、ケトグルコン酸ナトリウム、リグニンスルボン酸、ポリフェノール、酒石酸及びリンゴ酸から選ばれるものを使用する、請求項１または２記載の作物の育成方法。
【請求項４】
さらに（Ｄ）成分として多糖類を含有する、請求項１〜３のいずれか１項記載の作物の育成方法。
【請求項５】
前記作物が、イネ科作物、マメ科作物、トウモロコシ、ジャガイモ、ソバ、タバコ、アズキ、落花生、ナタネ、サトウキビ、イチゴ、トマト、ナス、ピーマン、トウガラシ、スイカ、カボチャ、キウリ、メロン、タマネギ、キャベツ、ハクサイ、レタス、ホウレンソウ、コマツナ、ニンジン、ダイコン、サトイモ、ナガイモ、ミツバ、パセリ、セロリ、アスパラガス、ニンニク、シヨウガ、タケノコ、ラツキョウ、花木類から選ばれるものである、請求項１〜４のいずれか１項記載の作物の育成方法。
【請求項６】
前記作物が果実類から選ばれるものである、請求項１〜４のいずれか１項記載の作物の育成方法。
【請求項７】
前記作物が水稲であるとき、幼穂が発生した後に前記水懸濁液を施肥する、請求項１〜４のいずれか１項記載の作物の育成方法。
【請求項８】
前記作物が小麦であるとき、開花後に前記水懸濁液を施肥する、請求項１〜４のいずれか１項記載の作物の育成方法。
【請求項９】
前記作物がエンドウであるとき、エンドウの地上部の根元が黄変開始後に前記水懸濁液を施肥する、請求項１〜４のいずれか１項記載の作物の育成方法。
【請求項１０】
前記作物がダイズであるとき、ダイズの莢の生育を確認後に前記水懸濁液を施肥する、請求項１〜４のいずれか１項記載の作物の育成方法。
【請求項１１】
前記作物がタマネギであるとき、タマネギの茎葉の倒伏開始後に前記水懸濁液を施肥する、請求項１〜４のいずれか１項記載の作物の育成方法。
【請求項１２】
前記作物がインゲンマメであるとき、インゲンマメの果実の収穫と前記水懸濁液の施肥を繰り返して栽培する、請求項１〜４のいずれか１項記載の作物の育成方法。
【発明の詳細な説明】
【技術分野】
【０００１】
本発明は、作物の高温障害防止効果が高い作物の育成方法に関する。
【背景技術】
【０００２】
近年、地球温暖化による夏季の高温障害が、主要作物の小麦や米に及び、品質低下及び収量低下が問題になりつつある。
【０００３】
小麦や米の高温障害は、出穂〜刈り取りまでの期間に高温の影響を受けると、生育速度が早まり、つまりクロロフイルがカロチノイドに置換される速度が早くなり、穂に対するデンプン輸送が阻害されることで結果的に白未熟粒が発生し易くなる、といったメカニズムで生じる。
よって、黄変速度、つまりクロロフイルがカロチノイドに置換される速度を人為的にコントロールすれば、高温障害の問題は解決されると考えられる（非特許文献１）。
黄変（黄化）とは、植物が秋近くになると葉緑素がカロチンに代謝し、いわゆる紅葉現象を示し、始めは黄化し更に赤色に変化する場合と、黄化にとどまる場合とがある。
【０００４】
作物の高温障害を防止する方法として、稲作における深水管理や、作物高温障害防止シート等を用いる以外に、糖発酵有機酸水溶液とマグネシウム塩を共存させたことを特徴とする葉面散布剤（特許文献１）等が挙げられる。
【０００５】
また、本発明者らが開発したマグネシア系固化材は、土壌固化材や抑草剤として作用するだけでなく、休眠打破した種子を選択的に発芽させる効果や、カドミウムを含む土壌で生育した飼料イネや大豆に撒布すると、イネや大豆のカドミウム吸収作用を抑制することができる効果といった、様々な作用効果を近年見出した（特許文献２〜４、非特許文献２、３）。
【先行技術文献】
【特許文献】
【０００６】
【特許文献１】特開２００６−０３６６８４号公報
【特許文献２】特開２００５−２１３２７７号公報
【特許文献３】特開２００７−３３０１１４号公報
【特許文献４】特開２０１２−２０５５５６号公報
【非特許文献】
【０００７】
【非特許文献１】水稲の高温障害対策技術平成２３年１０月
【非特許文献２】農研機構  ホーム>研究情報>研究成果>成果情報>農村工学研究所  ２００８年の成果情報>「マグホワイトと石灰窒素の併用による飼料イネのカドミウム吸収抑制効果」
【非特許文献３】第２４０回日本作物学会講演会要旨集p.21-「高温登熟下でコシヒカリの基部未熟粒率を減らす穂肥施用法」、2015年09月03日公開
【発明の開示】
【発明が解決しようとする課題】
【０００８】
本発明は、高温耐性に関わる品種改良よりも、簡易かつ即効性があり、作物の品質を維持したまま、高温障害を防止することの出来る、作物の育成方法を提供することを課題とする。
【課題を解決するための手段】
【０００９】
本発明は、（Ａ）軽焼マグネシア又は水酸化マグネシウム、（Ｂ）炭酸塩１種以上、（Ｃ）クエン酸及び／又はフミン酸を含む水懸濁液を作物に対して施肥する、作物の育成方法を提供する。
【発明の効果】
【００１０】
本発明の育成方法を用いると、作物の品質を維持したまま、高温障害を防止することが出来るため、作物の収穫量を増量させることができる。
また、本発明の育成方法は、高温耐性に関わる品種改良よりも、容易かつ省力的で、比較的即効性があるため、低コストで作物の収穫量の増量が見込める。
さらに本発明は、施肥する時期により、黄化（黄変）した作物が再び緑化する二次緑化という効果も得られる。
【発明を実施するための形態】
【００１１】
＜水懸濁液＞
本発明の作物の育成方法では、（Ａ）軽焼マグネシア又は水酸化マグネシウム、（Ｂ）炭酸塩１種以上、（Ｃ）クエン酸及び／又はフミン酸を含む水懸濁液を使用する。
【００１２】
（Ａ）成分は、軽焼マグネシア及び／又は水酸化マグネシウムであって、ブレーン値（比表面積）２．０００以上の微粉体のものが好ましく、４．０００以上の微粉体のものがより好ましい。
【００１３】
（Ａ）成分が水酸化マグネシウムの場合、硫酸マグネシウム、塩化マグネシウム、有機酸マグネシウム等を、水酸化ナトリウム等を用いて、水酸化マグネシウムとしたものを使用してもよい。
【００１４】
また、自然界に存在する、マグネサイト（炭酸水素マグネシウム）及びブルサイト（水酸化マグネシウム）、ドロマイト等の含マグネシウム鉱物を使用する場合、本発明のような生理作用は観察されていないため、それらを人工的に焼成又は粉砕する必要がある。
【００１５】
マグネサイト（炭酸水素マグネシウム）は、焼成温度６００℃〜９００℃の温度で焼成されたものを使用することができる。９００℃以上の焼成温度では、死焼マグネシアとなり、不活性であるため、水和反応も生じず、本発明では使用することができない。
【００１６】
ブルサイト（水酸化マグネシウム）は、結晶性のブルサイトの場合、焼成温度６００℃〜９００℃で焼成したものを使用することができる。海水から抽出した海水水酸化マグネシウムの場合、乾燥のみで生理活性があるために、水懸濁液状でも使用することが出来る。
【００１７】
ドロマイト（炭酸カルシウム及び炭酸マグネシウムの複塩）は、焼成温度が６００℃〜９００℃で軽焼したものを使用することができる。
しかし、国産ドロマイトは、マグネシウム含有量が低く、生理活性が低いきらいがある。よって、軽焼マグネシアを補填すれば、本発明でも使用することができる。焼成ドロマイトとして用いる場合は、脱炭酸し用いるか、無機酸又は有機酸を添加して、マグネシアを解離させたものを使用することができる。
【００１８】
その他、ジャモン岩、カンラン、ニッケルスラグ等の含マグネシウム鉱物は、硫酸又は塩酸などを反応させて、のちに中和させて、水酸化マグネシウムとして遊離したものを使用することができる。
また、ジャモン岩、カンランなどは、焼成温度６００℃〜８００℃で焼成したものを使用することができる。焼成温度が８００℃より高いものは、生理活性は喪失しているので、本発明では使用することができない。
【００１９】
（Ａ）成分は、必ずしも純品の必要はなく、カルシウム、鉄、アルミ、ケイ酸を含むものでもよく、ク溶性といわれるものでもよいが、マグネシア又は水酸化マグネシウムを５０質量％以上含有するものが好ましい。
【００２０】
（Ｂ）成分は、炭酸塩であり、（Ａ）成分と炭酸化反応させるための成分である。
（Ｂ）成分の炭酸塩は、重炭酸ソーダ、セスキ炭酸ソーダ、重炭酸カリウム、炭酸アンモニウム、炭酸グァニジン、炭酸エチレン、炭酸プロピレン、炭酸リチウム、塩基性炭酸カリウム等の炭酸塩１種以上から選ばれるもの好ましく、重炭酸ソーダ、セスキ炭酸ソーダがより好ましい。
炭酸ソーダは、アルカリ性が高く、作物に対して、好ましくないために、又、反応速度が早く、アルカリ土類金属塩と激しく反応するため、本発明の（Ｂ）成分としては使用することができない。
【００２１】
（Ｃ）成分は、クエン酸、フミン酸またはクエン酸とフミン酸の混合物である。その他、施肥形態が葉面散布である場合には、（Ｃ）成分として、ケトカルボン酸又はその塩、酒石酸やリンゴ酸等のヒドロキシカルボン酸又はその塩、ケトグルタール酸又はその塩、ケトグルコン酸又はその塩、ケトグルコン酸ナトリウム、リグニンスルホン酸又はその塩、ポリフェノール等から選ばれる１種以上を併用することもできる。
【００２２】
水懸濁液中の（Ａ）成分、（Ｂ）成分及び（Ｃ）成分の合計１００質量％中の各成分の含有割合は、
（Ａ）成分は６５〜９０質量％が好ましく、７０〜８５質量％がより好ましく、
（Ｂ）成分は１０〜３０質量％が好ましく、１５〜２５質量％がより好ましく、
（Ｃ）成分は０．５〜５質量％が好ましく、１〜５質量％がより好ましい。
【００２３】
本発明で用いる水懸濁液は、施肥方法が葉面散布の場合には、さらに（Ｄ）成分として多糖類を含有することができる。
（Ｄ）成分の多糖類としては、カルボキシメチルセルロース（ＣＭＣ）、ヒドロキシメチルセルロース、アルファー澱粉糊、フノリ、ポリビニルアルコール等を使用することができる。
水懸濁液中の（Ｄ）成分の含有量は、（Ａ）成分〜（Ｃ）成分の合計量１００質量部に対して０．１〜５質量部が好ましい。
また、水懸濁液には、本発明の効果が得られる範囲内で作物の育成に使用可能な成分、例えば、肥料、土壌改良剤、農薬などを含有させることもできる。
【００２４】
本発明で用いる水懸濁液は、（Ａ）成分、（Ｂ）成分及び（Ｃ）成分を含み、これらを水に分散させたものである。
本発明でいう水懸濁液は、流動性の高い状態のものから、どろどろの水懸濁液状態のものまで含むものであり、施肥の状況に応じて状態を調整することができる。
【００２５】
本発明で用いる水懸濁液は、（Ａ）成分、（Ｂ）成分及び（Ｃ）成分が粉体である場合、これらを混合して粉体混合物を作成し、水に分散させて水懸濁液を調製することができる。
【００２６】
また本発明で用いる水懸濁液は、（Ａ）成分、（Ｂ）成分及び（Ｃ）成分をそれぞれ水に分散させて、各懸濁液を調製し、各々を合流させて一液の水懸濁液とすることができる。
【００２７】
＜作物の育成方法＞
本発明の作物の育成方法では、上記した水懸濁液を作物に対して施肥する。
水懸濁液の作物への施肥方法は、作物の種類や生育状況に応じて調整することができるが、本発明で用いる水懸濁液は調製直後がもっとも生理活性が高いため、水懸濁液を調製後、直ちに施肥するか、水懸濁液を調製しながら施肥することが好ましい。
【００２８】
上記（Ａ）成分〜（Ｃ）成分が水に分散された水懸濁液中では、例えば（Ｃ）成分がクエン酸の場合、（Ａ）成分〜（Ｃ）成分の水系での反応が進行し、徐々にクエン酸マグネシウム量が増大して、３Ｍｇクエン酸・塩基性炭酸マグネシウムになるという、塩基性炭酸マグネシウムの中間物質を生成する反応が進行する。これらはいずれも水に難溶であるが、反応初期にはゲル状であり、経過時間とともに水に難溶となる。
また水懸濁液の調製直後は、（Ｃ）成分が、マグネシウムイオンとキレート化して減水作用及び分散作用により、流動性が高く、土に対して浸透し易くなり、葉面散布した場合には葉面からの吸収を助ける作用がある。
【００２９】
このように、作物に対する生理活性がもっとも高い前記中間物質は、その相変化と同時に、暫時反応が進行するに従い、安定な塩基性炭酸マグネシウムとなり、作物に対する生理作用は失われる、つまり水懸濁液が長期放置されると生理作用は喪失する。
従って、水懸濁液から、ゲルを生成し、塩基性炭酸マグネシウムの結晶が生成するまでの間に、作物に施肥する必要がある。
このような現象は、前記水懸濁液中の（Ａ）成分の含有量を増量しても減量しても変化せず、単に時間の経過のみで、生理作用が変化するという、植物生理学的には、あまり例のない現象である。
【００３０】
本発明において水懸濁液を調製後、直ちに作物に施肥するときは、好ましくは水懸濁液を調製後６０分以内に施肥する。
本発明において水懸濁液を調製しながら施肥するときは、例えば、（Ａ）成分を水に分散させて水懸濁液とし（Ａ液）、（Ｂ）成分と（Ｃ）成分の混合物を水に溶解させて水懸濁液とし（ＢＣ液）、Ｙ字管の分岐した二手にそれぞれＡ液とＢＣ液を注ぎ、一液として混合しながら、作物に施肥する方法を使用できる。
【００３１】
本発明で用いる水懸濁液は、イネ科作物に対しては、好ましくは５０〜１５０ｇ／ｍ２、より好ましくは８０〜１２０ｇ／ｍ２になるように施肥することができる。
マメ科作物に対しては、好ましくは１５〜１５０ｇ／ｍ２、より好ましくは１０〜１００ｇ／ｍ２になるように施肥することができる。
その他、果菜類の作物に対しては、好ましくは１０〜１５０ｇ／ｍ２、より好ましくは３０〜１２０ｇ／ｍ２になるように施肥することができ、
茎葉類の作物に対しては、好ましくは２０〜１００ｇ／ｍ２、より好ましくは４０〜６０ｇ／ｍ２になるように施肥することができる。
【００３２】
また、本発明で用いる水懸濁液は、水懸濁液質量（ｇ）／作物質量（ｇ）×１００から求められる施肥量（質量％）が、好ましくは１〜１０質量％になるように施肥することができる。
【００３３】
本発明で用いる水懸濁液は、作物に対して、数回に分けて施肥（分割施肥）してもよい。
イネ科作物に対しては、例えば１回目の施肥量５０ｇ／ｍ２、２回目の施肥量５０ｇ／ｍ２、３回目の施肥量３０ｇ／ｍ２となるように施肥することができる。
マメ科作物等の畑作物に対しては、例えば１回目の施肥量５０ｇ／ｍ２、２回目の施肥量５０ｇ／ｍ２、３回目の施肥量３０ｇ／ｍ２となるように施肥することができる。
【００３４】
本発明で用いる水懸濁液は、そのまま又は適宜希釈して、ほとんどの作物に対して、その作物の根元に施肥される（土壌施肥）が、コマツナ等の葉菜類に対しては、その作物本体である葉面に施肥することができる（葉面施肥）。
【００３５】
本発明の作物の育成方法をイネ科作物に適用する場合、出穂時期に合わせて、施肥することが好ましく、効果的である。
水稲では、立秋より葉緑素がカロチノイドに代謝されて、紅葉現象が起こり、黄変することが観察されるが、この季節に本発明で用いる水懸濁液を施肥すると、緑化現象がみられ、若返りと見受けられる現象が観察される。
具体的には、水稲では、中干期終了以後に、水田水口から、本発明の水懸濁液を流し込み、水戸を閉めて、暫時放置し、第二回目の穂肥を施肥することが好ましい。７日後には、黄変初期であれば、再び緑化が起こり、登熟が遅延し、緑化により、登熟期が延長されるために、時間を要して登熟が進行するようになる。中干後はすでに、成長は出穂により、生育が停止している季節であり、この季節に施肥することで、水稲にはストレスを与えることなく、登熟を完成させることができる。
一方、施肥しない水稲では、黄変が進行し易く、黄変速度が早いために、未白粒が増加し、乳白粒が稲穂の全体に拡大して、収量低下と等級低下が起こる。この差は、水田を比較のために、波板で仕切り、施肥するところと施畑しない場所を仕切ることでその差を明確にすることができる。
この方法は、即効性があり、出穂期の気象予測が刈り入れまでの２か月間の短期であるため、対応が容易で、水稲の生育状態に合わせた施肥が行え、分割した施肥でも、対応可能な人為的なコントロールが可能である。
【００３６】
例えば、コシヒカリにおいて、中干しを終えた水田に、水と共に本発明の水懸濁液を、施肥量として３０ｈｒ／４００ｋｇ〜３０ｈｒ／６００ｋｇ流し込む処理をすると、コシヒカリの実入り開始時期及び登熟が遅れ、その分実入りが良くなり、完全に乾燥した稲穂１本当たりの重量は０．９６ｋｇ／本となる。なお、本発明の水懸濁液で処理していないコシヒカリでは、乾燥した稲穂１本当たりの重量は０．６４ｋｇ／本で、全く実の入っていない穂や米粒の状態が完全にないものや登熟していないものもあり、実入りが悪い。この時期の平均温度が３８．６℃であったことから、未処理のコシヒカリは高温障害の影響を受け、本発明の水懸濁液で処理したコシヒカリは高温障害の影響を抑制することができたと考えられる。
【００３７】
イネ科作物の小麦では、穂が黄変し始めると藁の部分が追従して黄変し、高温により、この速度が早まると、小麦の穂の粒の増加が阻害され、滅収になることが観察される。従って、穂の黄変速度が遅く、藁躯体の黄変が遅くなることで、実入りの良い小麦の収穫が可能になる。
具体的には、小麦では、出穂後直ちに、本発明で用いる水懸濁液を根元に散布するのみであり、出穂が開花ながら穂が生長して、登熟を待つのみである。
そして、小麦では、出穂後に本発明で用いる水懸濁液を施肥すると、開花期が延長するようになり、穂長が長くなり、収量が増大する。この差はブランクと比較すると明らかに２０％は長い穂の長さであり、緑化が継続して穂の長さを伸長させることが明らかである。
【００３８】
同じくイネ科作物のトウモロコシでは、随時収穫が行われ収穫期の長いため、少量ずつ、分割して施肥し、可能な限り収穫期を延長して、多収穫を目指すことが好ましい。
【００３９】
本発明の作物の育成方法をマメ科作物に適用する場合、
弦ありインゲン（インゲンマメ）のように、短期的な収穫型では、収穫量を一度にすることなく、毎週のように定期的に収穫し、施肥もこれに合わせて、分割して施肥する方法と他の主の肥料との組み合わせが必要になる場合がある。
例えば、マメ科のキヌサヤ（エンドウ）は、最も明確な登熟作物で、１０月〜１１月に播種し、翌年５月末から６月にかけて収穫期を迎え、６月初期には黄変が起こり、３週間ほどで枯死する作物である。この短期間に急速な登熟現象が起こるために、野莱として市場に流通する期間が最も短い作物である。
本発明で用いる水懸濁液を根元に施肥すると、黄変が一時的に停止し、再び、開花が起こり、７日後には収穫することが可能である。更に黄変が起こる場合は、本発明で用いる水懸濁液を根元に再施杷することで、３回目の収穫が可能になる。黄変は根元から発生し、茎の先端に進行する為、施肥は、この根元の黄変に合わせて施肥することで、一時的な緑化が起り、開花して、活性を取り戻すことが、観察される。このような現象は、従来の肥料では不可能で、本発明で初めて観察される施肥効果である。
【００４０】
本発明の作物の育成方法を適用できる植物としては、イネ科作物、マメ科作物以外にも、ジャガイモ、ソバ、タバコ、アズキ、落花生、ナタネ、サトウキビ等の畑作物にも適用可能とみており、キャベツ、ハクサイ、レタス、ホウレンソウ、コマツナ等の葉菜類、野菜のイチゴ、トマト、ナス、ピーマン、トウガラシ、スイカ、カボチャ、キウリ、メロン、タマネギ、ニンジン、ダイコン、サトイモ、ナガイモ、ミツバ、パセリ、セロリ、アスパラガス、ニンニク、シヨウガ、タケノコ、ラツキョウ、花木類にも使用できる。
【００４１】
果実類は、柑橘類の生産においては、収穫期を遅らせて、市場に於ける供給時期を人為的に調節することができると、市場占有率がコントロールしやすくなり、長期に渡る市場獲得が可能である。
果実類（ブドウ、リンゴ、桃、ナシ等）は、本発明を熟成期に適応することで糖度を上げることが可能である。
【００４２】
葉菜類は、葉の伸長が最も重要なため、規格に合わせた葉菜類を収穫するのはかなり困難であり、出荷前の７日間で規格に合わせるには、規格に適合する計画的な施肥量を決定し、長さを前もって決めておく必要があり、７日間の栽培に関する、成長を十分理解しておく必要があり、綿密な栽培技術が要求される。
葉菜類（コマツナ、ホウレンソウ、ハクサイ、レタス等）は、収穫期の２か月前に本発明の水懸濁液を施肥することが好ましい。
【００４３】
イチゴなどをクリスマスの最需要期に合わせた出荷に対応するには、完熟させたイチゴを一時的に生育停止させる必要がある。この場合は、イチゴの根元に対し、水懸濁液７０ｇ／イチゴ１０００ｇ（施肥量７質量％）を注下して、生育停止を行うことが望ましい。この日数はほぼ７日間であり、花升又は葉面においてもこの方法が行える。
イチゴは開花後受粉するまでに一か月以上経過する必要があるため、本発明の育成方法を適用するには、具体的には、イチゴ株を１０月までに活性化して開花させることが好ましい。
【００４４】
ナガイモは、立秋時期に本発明の水懸濁液を地下茎に施肥して活性化させることが好ましい。
【００４５】
花木類は、開花期を最も価値のある、期間としており、開花期の長いほど、付加価値の高い条件を作成することが人為的に調節する方法が好ましい。また、花木類でも、開花期が人為的に長く保持できることにより、観光的な意味から効果は大きいと考えられる。
本発明では、生育途上の花升について、開花を遅延させる目的で用いるもので、単に開花期を遅延させるものであり、導管閉鎖を防止するものではない。
【００４６】
お茶の栽培では、新芽の季節が長く継続し、更に二番茶の収穫が新芽の促進に継続される効果は大きく、コーヒー豆の生産に役立つことが期待できる。
【実施例】
【００４７】
製造例１（水懸濁液の調製）
（Ａ）成分としてマグネシア８５質量％、（Ｂ）成分として重炭酸ナトリウム１０質量％、（Ｃ）成分としてクエン酸５質量％を混合して、混合粉末１２０ｇを得た。
次に混合粉末１２０ｇを水（水道水）１０００ｍＬに常温（２０〜３０℃）で分散させて、水懸濁液を得た。
得られた水懸濁液は、塩基性炭酸マグネシウムの中間物質「クエン酸マグネシウム・塩基性炭酸マグネシウム」、具体的には、Ｍｇクエン酸・塩基性炭酸マグネシウム、２Ｍｇクエン酸・塩基性炭酸マグネシウム及び３Ｍｇクエン酸・塩基性炭酸マグネシウムを含んでいる。
【００４８】
実施例１（水稲＝コシヒカリ）
コシヒカリ幼苗を５月１１日にプランター長さ１２００ｍｍ×幅７００ｍｍ×深さ３５０ｍｍに水田土壌を３００ｍｍ深さに入れて、３００ｍｍ間隔に植え付け、１４日後に一発肥料を施肥して、栽培した。
７月２６日カッターで茎を縦に切断し、幼穂が発生したのを確認した後、プランターを波板で二分割した（第１領域及び第２領域）。
次に、製造例１と同様に水懸濁液を調製後、直ちに第１領域のコシヒカリが育成する水田土壌の水中に、表２に示す施肥量で施肥し、さらに穂肥３０ｇを第１領域と第２領域の両方に施肥して、９月７日迄栽培し登熟させた。
【００４９】
水懸濁液を施肥した第１領域のコシヒカリは緑化し、９月２０日に至り黄変が完了した。
これに対して、第２領域のコシヒカリは、緑化は起こらずに８月１６日には黄変が進行し、稲穂の先端３粒が緑化した状態で刈り取りを行った。
この比較対象試験により、本発明の育成方法の効果は、収量で１５％増収になり、未熟粒が減少した。この結果は、一次的な緑化現象により、刈取りが遅延し、８日以上黄変が遅れたことによるものである。
因みに、この登熟１か月間の平均温度は、２９.５℃以上であり、最高温度は、土壊中温度が４３℃である。
【００５０】
実施例２（水稲＝コシヒカリ）
水懸濁液の調製以外は、実施例１と同様にした。
水懸濁液は、製造例１の混合粉末１２０ｇを倍量の２４０ｇにし、水１０００ｍＬに分散させて、水懸濁液を調製した。
実施例１同様、直ちに第１領域のコシヒカリの根元に１２００ｍＬ/ｃｍ２の割合で施肥し、さらに穂肥３０ｇを第１領域と第２領域の両方に施肥して、９月１８日迄栽培し登熟させた。
【００５１】
水懸濁液を施肥した第１領域のコシヒカリは施肥後５日で緑化し、９月２６日に至り黄変が完了した。
これに対して、第２領域のコシヒカリは、緑化は起こらずに８月２０日には黄変が進行し、稲穂の先端３粒が緑化した状態で９月２日に刈り取りを行った。
この比較対象試験により、本発明の育成方法の効果は、収量で１８％増収になり、白穂が皆無であった。この結果は、一次的な緑化現象により、刈取りが遅延し、１５日以上黄変が遅れたことによるものである。
因みに、この登熟１か月間の平均温度は、３３.５℃以上であり、最高温度は、土壊中温度が４２℃である。
【００５２】
実施例３（小麦）
水懸濁液は、製造例１と同様に調製した。
１１月６日、プランター長さ１２００ｍｍ×幅７００ｍｍ×深さ３５０ｍｍに、元肥（１４-１４-１４）を６０ｇ/ｍ２の割合で混ぜた土を入れた。そこに、小麦(サトノソラ)を、１５０ｍｍ間隔で播種し、発芽させた後に、更に（１４-１４-１４）を２か月おきに追肥し、３回にわたり麦踏を行い栽培した。
３月２４日出穂し、４月２日に開花した。比較のため、一方は調製した水懸濁液を表２に示す施肥量で小麦の根元に散布し（第１領域）、もう一方はそのまま栽培した（第２領域）。小麦の開花状態は、第２領域の小麦は早く開花が終わり、第１領域の小麦はさらに１５日間遅れて開花が継続し、穂の長さが長く伸長した。
開花が進行するにつれて、水懸濁液を散布した第１領域の小麦の穂は、二次緑化がみられて、黄化が遅延し、第２領域の小麦の穂は黄化（黄変）した。６月８日に刈り入れを行い、第２領域の小麦は、麦身長が５００ｍｍであるのに対し、水懸濁液を散布した第１領域の小麦の身長は６００ｍｍと長く、麦穂１０本の重量は、第２領域の小麦は１４ｇ、第１領域の小麦は１８ｇで、穂の実の段数は第２領域の小麦は６段に対し、第１領域の小麦は、７段であった。
収量差は、第１領域の小麦は第２領域の小麦よりも２０〜３３.３％増収した。
【００５３】
実施例４〜１０
水懸濁液は、製造例１と同様に調製した。
実施例３の小麦を、大麦、トウモロコシ、大豆、小豆、ソバ、粟（アワ）、スイトピーに代えた以外は、実施例３と同様に栽培、収穫した。収量の増加効果や品質向上効果等を、表２に示した。
【００５４】
実施例１１（弦ありインゲン(ジャンビーノ)）
水懸濁液は、製造例１の混合粉末１２０ｇを５０ｇにし、水５００ｍＬに分散させて、水懸濁液を調製した。
弦ありインゲン(ジャンビーノ)を８００ｍｍ×２８０ｍｍ×２８０ｍｍのプランターに１５ｍｍ間隔で２粒ずつ播種し、４月２８日から第１回の収穫を行った。同じものをもう１セット用意し、一方を第１領域の弦ありインゲン、もう一方を第２領域の弦ありインゲンとした。第１回目の収穫から、毎週ごとに収穫し、第１領域の弦ありインゲンは５月９日に茎の下部が枯れ葉になる時点で水懸濁液を撒布し、第２領域の弦ありインゲンはそのまま放置した。
第１領域の弦ありインゲンは、その後、下茎の葉から緑化が始まった。一方、第２領域の弦ありインゲンは、下茎の葉が黄化すると、徐々に茎の上まで黄化が進行して、開花が停止し、収穫回数は、５回で終了した。
水懸濁液を施肥するごとに第１領域の弦ありインゲンは、繰り返し緑化が起った。この現象は、くり返し行っても各回とも同じ結果が得られ、第１領域の弦ありインゲンは、第２領域の弦ありインゲンに比べて約１.５倍に収量が増加した。
第１領域と第２領域の収穫期の各収量の詳細を、表１に示す。
【００５５】
【表１】
2019123628.tif 000002
収穫１回の日数約７日置き
【００５６】
実施例１２（キヌサヤ（エンドウ））
水懸濁液は、製造例１の混合粉末１２０ｇを５０ｇにし、水５００ｍＬに分散させて、水懸濁液を調製した。
実施例１１の弦ありインゲン(ジャンビーノ)を、キヌサヤに代えた以外は、実施例１１と同様に栽培、収穫した。収量の増加効果や品質向上効果等を、表２に示した。
【００５７】
実施例１３（タマネギ(ノンクーラー苗)）
水懸濁液は、製造例１の混合粉末１２０ｇを５０ｇにし、水５００ｍＬに分散させて、水懸濁液を調製した。
プランターに蛎殻石灰１５及び赤魂土７  腐葉土２  パームキユライト１重量部の用土を入れ、更に、化成肥料（１４-１４-１４）１００ｇを加え、堆肥２ｋｇを追加し、１４日後にタマネギ(ノンクーラー苗)を定植して栽培した。同じものをもう１セット用意した。
５月１４日に茎葉が倒れはじめて、この時、一方のプランターには調製した水懸濁液を表２に示す施肥量で施肥し（第１領域）、もう一方はそのままにし、比較とした（第２領域）。
第１領域のタマネギは、茎葉が元気で、枯れないため１０日後収穫し、一方の第２領域のタマネギは、１０日前に収穫した。１０個平均重量について、第１領域のタマネギは３０８ｇ、第２領域のタマネギは２５４ｇであった。
【００５８】
実施例１４、１５
水懸濁液は、製造例１の混合粉末１２０ｇを５０ｇにし、水５００ｍＬに分散させて、水懸濁液を調製した。
プランターに蛎殻石灰１５及び赤魂土７  腐葉土２  パームキユライト１重量部の用土を入れ、更に、化成肥料（１４-１４-１４）１００ｇを加え、堆肥２ｋｇを追加し、１４日後にカボチャまたはスイカを定植して栽培した。同じものをもう１セット用意した。
カボチャまたはスイカの花が開花する直前、一方のプランターには調製した水懸濁液を表２に示す施肥量で施肥し（第１領域）、もう一方はそのままにし、比較とした（第２領域）。第１領域の作物には、作物の花が枯れるまで、表２に示す施肥量を追肥した。収量の増加効果や品質向上効果等を、表２に示した。
【００５９】
実施例１６〜１８
水懸濁液は、製造例１の混合粉末１２０ｇを５０ｇにし、水５００ｍＬに分散させて、水懸濁液を調製した。
プランターに蛎殻石灰１５及び赤魂土７  腐葉土２  パームキユライト１重量部の用土を入れ、更に、化成肥料（１４-１４-１４）１００ｇを加え、堆肥２ｋｇを追加し、１４日後にトマト、キウリまたはイチゴを定植して栽培した。同じものをもう１セット用意した。
トマト、キウリまたはイチゴの花が開花した直後、一方のプランターには調製した水懸濁液を表２に示す施肥量で施肥し（第１領域）、もう一方はそのままにし、比較とした（第２領域）。第１領域の作物には、作物の果実が成長している間も、表２に示す施肥量を追肥した。収量の増加効果や品質向上効果等を、表２に示した。
【００６０】
実施例１９〜２２
水懸濁液は、製造例１の混合粉末１２０ｇを５０ｇにし、水５００ｍＬに分散させて、水懸濁液を調製した。
プランターに蛎殻石灰１５及び赤魂土７  腐葉土２  パームキユライト１重量部の用土を入れ、更に、化成肥料（１４-１４-１４）１００ｇを加え、堆肥２ｋｇを追加し、１４日後にコマツナ、ホウレンソウ、キャベツ又はレタスを定植して栽培した。同じものをもう１セット用意した。
一方のプランターの作物の茎葉面（コマツナ、ホウレンソウ）又は根元（キャベツ、レタス）には調製した水懸濁液を表２に示す施肥量で施肥し（第１領域）、もう一方はそのままにし、比較とした（第２領域）。第１領域の作物には、作物の葉菜が成長している間も、表２に示す施肥量を追肥した。収量の増加効果や品質向上効果等を、表２に示した。
【００６１】
実施例２３〜２４
水懸濁液は、製造例１の混合粉末１２０ｇを５０ｇにし、水５００ｍＬに分散させて、水懸濁液を調製した。
プランターに蛎殻石灰１５及び赤魂土７  腐葉土２  パームキユライト１重量部の用土を入れ、更に、化成肥料（１４-１４-１４）１００ｇを加え、堆肥２ｋｇを追加し、１４日後にナガイモ又はサトイモを定植して栽培した。同じものをもう１セット用意した。
一方のプランターの作物の根元には調製した水懸濁液を表２に示す施肥量で施肥し（第１領域）、もう一方はそのままにし、比較とした（第２領域）。第１領域の作物には成長している間も、表２に示す施肥量を追肥した。収量の増加効果や品質向上効果等を、表２に示した。
【００６２】
表２の栽培時期の数字は月を表す。
【００６３】
【表２】
2019123628.tif 000003
【００６４】
実施例２５（大豆）
（１）硫酸マグネシウム粉末を水に溶解してＡ液とし、ソーダ灰を水に溶かして、Ｂ液とした。更にセスキ炭酸ソーダ当量水溶液をＣ液とし、フミン酸５％液をＤ液とした。
（２）８００ｍｍ×２８０ｍｍ×２８０ｍｍのプランター内の用土に大豆を播種した。そして、Ａ〜Ｄ液各々をポンプで圧送して、４液を合流させて、一液とし、大豆の木の根元に、この水懸濁液を６０ｇ/ｍ２水１０００ｇの水溶液として、散布した。
大豆は、播種期が４月１５日以降５月下旬で、収穫期が７月中旬から８月下旬で、枝豆として収穫される。
前記水懸濁液は、開花期を過ぎて、莢が生長するときに大豆の根元に施肥した。
莢の実入りは、夏季の高温により、莢の中の豆数が２で止まることが多い。しかし、前記水懸濁液を散布することで、莢の豆数が３個にすることができた。また、莢の成長速度が遅くなり、１０日程度遅延した。
【産業上の利用可能性】
【００６５】
本発明の育成方法は、イネ科作物、マメ科作物、トウモロコシ、ジャガイモ、ソバ、タバコ、アズキ、落花生、ナタネ、サトウキビ、イチゴ、トマト、ナス、ピーマン、トウガラシ、スイカ、カボチャ、キウリ、メロン、タマネギ、キャベツ、ハクサイ、レタス、ホウレンソウ、コマツナ、ニンジン、ダイコン、サトイモ、ナガイモ、ミツバ、パセリ、セロリ、アスパラガス、ニンニク、シヨウガ、タケノコ、ラツキョウ、花木類を育成するときの高温障害を防止するために利用可能である。